(57)【要約】【課題】汎用性の高いスリット保護装置を提供すること。【解決手段】内部に流路を備え、上壁に該流路と連通する集水用のスリットを備える側溝に用いられ、前記スリットを保護するスリット保護装置であって、前記スリットの第１側面と、前記側溝の上面における前記第１側面周縁部とを被覆し、前記スリットの長手方向に延びる第１カバーと、前記スリットの前記第１側面に対向する第２側面と、前記側溝の上面における前記第２側面周縁部とを被覆し、前記スリットの長手方向に延びる第２カバーと、前記第１カバーと前記第２カバーとの間に設けられ、前記第１カバーを前記第１側面に押止するとともに、前記第２カバーを前記第２側面に押止する、押止部材と、を備えるスリット保護装置。【選択図】図３
2010275839.tif 000002
【特許請求の範囲】
【請求項１】
内部に流路を備え、上壁に該流路と連通する集水用のスリットを備える側溝に用いられ、前記スリットを保護するスリット保護装置であって、
前記スリットの第１側面と、前記側溝の上面における前記第１側面周縁部とを被覆し、前記スリットの長手方向に延びる第１カバーと、
前記スリットの前記第１側面に対向する第２側面と、前記側溝の上面における前記第２側面周縁部とを被覆し、前記スリットの長手方向に延びる第２カバーと、
前記第１カバーと前記第２カバーとの間に設けられ、前記第１カバーを前記第１側面に押止するとともに、前記第２カバーを前記第２側面に押止する、押止部材と、
を備えるスリット保護装置。
【請求項２】
前記押止部材はナット部材とボルト部材を備え、
前記ナット部材は、前記第１カバーと前記第２カバーとの間に嵌入して、前記ナット部材の前記第１カバー側の側面が前記第１カバーを前記スリットの第１側面に押圧し、前記ナット部材の前記第２カバー側の側面が前記第２カバーを前記スリットの第２側面に押圧し、
前記ボルト部材は、前記第１カバーと前記第２カバーとの間に係止され、前記ナット部に螺入して前記ナット部材の抜け落ちを防止する、
ことを特徴とする、請求項１に記載のスリット保護装置。
【請求項３】
押止部材は前記ボルト部材の頭部を前記第１カバーと前記第２カバーとの間に係止する係止突起を備える、ことを特徴とする請求項２に記載のスリット保護装置。
【請求項４】
前記押止部材は前記スリットの幅方向に伸縮可能なねじ係合機構を備え、該ねじ係合機構は伸長状態において、前記第１カバーを前記スリットの第１側面に押圧し、前記ナット部材の前記第２カバー側の側面が前記第２カバーを前記スリットの第２側面に押圧することを特徴とする、請求項１に記載のスリット保護装置。
【発明の詳細な説明】
【技術分野】
【０００１】
本発明は、側溝のスリットを保護する構造に関する。
【背景技術】
【０００２】
従来、上面に集水用のスリットを備える側溝に対して、スリットの欠けやハイヒール等の踵部分がスリットに入り込むことを防止するために、側溝用スリット保護装置が使用される。このような側溝用スリット保護装置が特許文献１に開示される。特許文献１の側溝用スリット保護装置１００の斜視図を図１に示す。図１に示すように、側溝用スリット保護装置１００はカバー１０１、ボルト１０２、留め具１０３からなる。カバー１０１は側溝のスリットに沿って設けられる一対のアングル１０１ａと、これらを繋ぐ連結部１０１ｂからなる。ボルト１０２は連結部１０１ｂの中央に設けられた孔に枢設される。留め具１０２は、ボルト１０２の先端に枢設される固定板１０３ａと回動防止部１０３ｂからなる。回動防止部１０３ｂはスリットに嵌設されて、固定板１０３ａがボルト１０２の回転に伴って回動するのを防止する。側溝用スリット保護装置１００では、一対のアングル１０１ａをスリットに沿って配置して、ボルト１０２を締めることにより、留め具１０３の固定板１０３ａが側溝内側のスリットの内壁に固定板１０３ａを当接させる。これにより、固定板１０３ａと一対のアングル１０１ａでスリットが形成される側溝上部を挟んで、側溝用スリット保護装置１００がスリットに取り付けられ、スリットの欠け等を防止している。
【０００３】
【特許文献１】特開２００７−３１５３１４号公報
【発明の概要】
【発明が解決しようとする課題】
【０００４】
特許文献１に開示の側溝用スリット保護装置１００は、固定板１０３ａと一対のアングル１０１ａで側溝上部を挟んで固定するため、当該側溝上部の厚さ以上の長さを有するボルト１０２が必要となる。また、側溝上部の厚さは側溝の種類によって様々であるため、汎用性を高めるには、ボルト１０２は十分な長さとする必要がある。これらにより、側溝用スリット保護装置１００は小型にすることが困難であった。また、一対のアングル１０１ａは連結部１０１ｂにより固定されるため、アングル１０１ａ間の距離をスリットの幅に応じて変更するには、連結部１０１ｂを交換する必要があり、汎用性が低い。
そこで、本発明は汎用性の高いスリット保護装置を提供することを目的とする。
【課題を解決するための手段】
【０００５】
以上の目的を達成するため、本発明は次の構成からなる。即ち、
側溝の上面に設けられる集水用のスリットを保護するスリット保護装置であって、
前記スリットの第１側面と、前記側溝の前記上面における前記第１側面周縁部とを被覆し、前記スリットの長手方向に延びる第１カバーと、
前記スリットの前記第１側面に対向する第２側面と、前記側溝の前記上面における前記第２側面周縁部とを被覆し、前記スリットの長手方向に延びる第２カバーと、
前記第１カバーと前記第２カバーとの間に設けられ、前記第１カバーを前記第１側面に押止するとともに、前記第２カバーを前記第２側面に押止する、押止部材と、
を備え得るスリット保護装置である。
【発明の効果】
【０００６】
本発明のスリット保護装置によれば、第１カバーと第２カバーは、押止部材によりスリットの対向面に押し付けられて固定されるため、様々な厚さの側溝に使用することができ、汎用性が高い。また側溝の上壁が厚い場合には、これに応じて装置を大型化する必要がなく、装置を小型とすることができる。また、第１カバーと第２カバーとの間が連結部材などで予め固定されないので、様々な幅のスリットに対して使用することができるため、汎用性が高い。
【図面の簡単な説明】
【０００７】
【図１】従来の側溝用スリット保護装置１００の斜視図である。
【図２】本発明の実施例であるスリット保護装置１を取り付けた側溝２の斜視図である。
【図３】図２におけるＡ−Ａ線断面図である。
【図４】本発明の他の実施例であるスリット保護装置２００の断面図である。
【図５】スリット保護装置３００の取付方法を説明する断面図である。
【図６】本発明の更に他の実施例であるスリット保護装置４００を示す図である。
【発明を実施するための形態】
【０００８】
本発明のスリット保護装置は、内部に流路を備え、上壁に流路と連通する集水用のスリットを備える側溝に対して用いられる。スリットの形状は特に限定されず、例えば側溝の長手方向に平行とすることができる。スリットの幅は通常、長手方向において同一の形状であるがこれに限定されず、スリットの一部に幅の広い部分があってもよい。なお、本明細書では、スリットにおける対向面をそれぞれ第１側面及び第２側面とする。即ち、スリットは、側溝の上壁に設けられた第１側面と第２側面とからなり、側溝内部の流路に連通する貫通部である。スリットの幅は、側溝上壁の厚さ方向において、側溝上面から内部の流路に向かって大きくなる。これにより、スリットに小石やゴミ等が堆積することが防止される。
【０００９】
本発明のスリット保護装置は第１カバー及び第２カバーを備える。第１カバーはスリットの第１側面と、側溝の上面における第１側面周縁部とを被覆し、スリットの長手方向に延びる。第１カバーの形状は、スリットの長手方向に垂直な断面においてＬ字型である。同様に第２カバーはスリットの第２側面と、側溝の上面における第２側面周縁部とを被覆し、スリットの長手方向に延び、第１カバーと対称に設けられる。第２カバーの形状は、スリットの長手方向に垂直な断面においてＬ字型である。第１カバー及び第２カバーの材質は特に限定されないが、アルミ、鉄鋼等の金属とすることが好ましい。衝撃等に強く、スリットの保護効果が高まるからである。第１カバー及び第２カバーの長さは側溝のスリットの長手方向における長さと略同一としてスリット全域を保護することとしても良いことはもちろん、スリットの長手方向の長さのよりも短くするとともに、複数のスリット保護装置を使用してスリット全域を保護することとしても良い。
【００１０】
本発明のスリット保護装置は第１カバーと第２カバーとの間に設けられ、第１カバーをスリットの第１側面に押止するとともに、第２カバーをスリットの第２側面に押止する押止部材を備える。
本発明の第１の態様では、押止部材はボルト部材とナット部材を備える。ボルト部材は第１カバーと第２カバーとの間に上下方向に挿入され、ボルト部材の頭部が上面側に位置し、ボルト部材の軸部が流路側に位置するように、第１カバーと第２カバーとの間に係止される。ボルト部材の軸部にナット部材が螺入して、ナット部材が第１カバーと第２カバーとの間に嵌入し、当該ナット部材の第１カバー側の側面が第１カバーをスリットの第１側面に押圧し、当該ナット部材の第２カバー側の側面が第２カバーをスリットの第２側面に押圧する。これにより、第１カバーと第２カバーがスリットに押止される。即ち、ナット部材が第１カバーと第２カバーとの間に嵌入して、第１カバーと第２カバーとを離間させてスリットに固定するものである。
【００１１】
ナット部材の外径は第１カバー及び第２カバーをスリットに配置した状態において第１カバーと第２カバーと間の流路側開口幅よりも小さく、かつ第１カバーと第２カバーと間の上面側開口幅よりも大きい。これにより、ナット部材が第１カバーと第２カバーと間の上面側開口から抜け出ることが防止される。一方、ナット部材が螺入するボルト部材が第１カバーと第２カバーとの間に係止されるため、ナット部材が抜け落ちすることが防止される。
【００１２】
ボルト部材の頭部の幅は、第１カバー及び第２カバーをスリットに配置した状態において第１カバーと第２カバーとの側溝の上面側の開口幅よりも大きいことが好ましい。当該ボルト部材をその頭部で第１カバー及び第２カバーの上面側に係止でき、簡易な構成でスリット保護装置を取り付けることができるからである。
【００１３】
一方、スリットの上面側の開口幅よりも小さい幅の頭部を有するボルト部材を使用することもできる。例えば、第１カバーと第２カバーのそれぞれの対向面に係止突起を設けて、当該係止突起によりボルト部材の頭部を第１カバーと第２カバーの間に係止する。このようにすれば、押止部材（ボルト部材及びナット部材）がスリットから抜け落ちることを防止できるとともに、ボルト部材の頭部が側溝上面から突出することを防止でき、外部からの物理的な干渉が低減して、当該ボルト部材とナット部材との緩みを軽減できる。
【００１４】
また、第１カバーと第２カバーのそれぞれの対向面に係止突起を設けることなく、スリットの上面側の開口幅よりも小さい頭部を有するボルト部材を使用することもできる。例えば、まず、第１カバー及び第２カバーとボルト部材の頭部との間に、ボルト部材の頭部を係止する着脱自在の補助具を介在させた状態で、ナット部材を螺入して第１カバーと第２カバーとの間に嵌設して第１カバー及び第２カバーを押止する。そして、当該補助具を取り除き、ナット部材が第１カバーと第２カバーとの間に嵌設した状態で、ボルト部材の頭部が第１カバーと第２カバーとの間に位置するまでボルト部材をナット部材に対して螺入する。その後、ボルト部材の頭部と第１カバー及び第２カバーとを溶接する。このようにしても、押止部材（ボルト部材及びナット部材）がスリットから抜け落ちることを防止できるとともに、ボルト部材の頭部が側溝上面から突出することを防止でき、外部からの物理的な干渉が低減して、当該ボルト部材とナット部材との緩みを低減できる。
【００１５】
本発明の第２の態様では、押止部材はねじ係合によってスリットの幅方向に伸縮可能なねじ係合機構を有し、伸長状態において第１カバーをスリットの第１側面に押止し、第２カバーをスリットの第２側面に押止する。第２の態様においても、簡易な構成でスリット保護装置を取り付けることができる。例えば、押止部材は、第１カバーに対向面に立設されるボルト部材と、第２カバーの対向面に立設されてボルト部材の延長線上に配置される係合突起と、ボルト部材に螺合するナット部材とからなり、螺合した当該ナット部材をボルト部材への螺入方向に回すとスリットの幅方向に収縮し、螺入方向と反対方向に回すとスリットの幅方向に伸長する。これにより、様々な幅のスリットを備える側溝に使用することができるため、汎用性が高い。また、取り付け作業が簡便となり、スリットを有する側溝に対してスリット保護装置を容易に取り付けることができる。ナット部材は緩み止め効果の高いものを使用することが好ましい。例えば、ダブルナットや、いわゆるナイロンナット、セルフロックナットなどの緩み止め効果の高いものを使用することが好ましい。
以下、本発明の実施の形態につき、図例を参照しながら説明をする。
【実施例１】
【００１６】
本発明の実施例であるスリット保護装置１を取り付けた側溝２の斜視図を図２に示す。図２に示すように、側溝２は流路２１とスリット２２を備える。流路２１は長手方向の断面形状が卵形である。スリット２２は側溝２の上壁に側溝２の長手方向に沿って設けられ、流路２１と連通している。スリット２２は上壁の上面から下面（流路２１側の面）に向かって広がるように形成されており、その幅は上面において約１５ｍｍ、流路２１側において約２５ｍｍである。スリット２２の深さ（即ち、上壁の厚さ）は約６０ｍｍである。
【００１７】
スリット保護装置１はスリット２２に取り付けられる。図２におけるＡ−Ａ線断面図を図３に示す。スリット保護装置１は第１カバー１１、第２カバー１２、ボルト部材１３、ナット部材１４を備える。第１カバー１１は、側溝２の上面のスリット２２近傍領域２ａに沿う第１カバーの上面部１１ａと、スリット２２の対向面２２ａに沿う第１カバーの対向部１１ｂと、上面部１１ａと対向部１１ｂとを繋ぐ屈曲部１１ｃとからなり、長手方向断面の形状がＬ字状である。上面部１１ａの幅は約１５ｍｍ、対向部１１ｂの幅は約３０ｍｍである。第２カバー１２は第１カバーと面対称の形状であって、側溝２の上面のスリット２２近傍領域２ｂに沿う第１カバーの上面部１２ａと、スリット２２の対向面２２ｂに沿う第２カバーの対向部１２ｂと、上面部１２ａと対向部１２ｂとを繋ぐ屈曲部１２ｃとからなり、長手方向断面の形状がＬ字状である。第１カバー１１と第２カバー１２は、側溝２の上面の各領域２ａ、２ｂと、スリット２２の対向面２２ａ、２２ｂに沿ってそれぞれ設けられ、第１カバー１１と第２カバー１２との側溝２の上面側の開口幅Ｗ１は約１２ｍｍであり、流路２１側の開口幅Ｗ２は約１６．５ｍｍである。
【００１８】
ボルト部材１３は、その長手方向がスリット２２の深さ方向と平行となるように、第１カバー１１と第２カバー１２との間に配置される。ボルト部材１３は皿型の頭部１３ａを有する。頭部１３ａの直径は約１４ｍｍである。
ナット部材１４は、ボルト部材１３に螺入している。ナット部材１４の大きさは直径約１３．５ｍｍであって、第１カバー１１と第２カバー１２の側溝２の上面側の開口幅Ｗ１よりも大きく、流路２１側の開口幅Ｗ２よりも小さい。このようなナット部材１４がボルト部材１３に螺入することにより、第１カバー１１の対向部１１ｂをスリット２２の対向面２２ａに押圧するとともに、第２カバー１２の対向部１２ｂをスリット２２の対向面２２ｂに押圧して、第１カバー１１と第２カバー１２をスリット２２の上面側開口部に押止している。即ち、ボルト部材１３とナット部材１４が第１カバー１１と第２カバー１２を押止する押止部材となる。
【００１９】
次にスリット保護装置１の作用効果を説明する。スリット保護装置１によれば、第１カバー１１と第２カバー１２は押止部材（ボルト部材１３及びナット部材１４）によりスリット２２の対向面２２ａ、２２ｂに押し付けられて固定されるため、様々な厚さの側溝に使用することができ、汎用性が高く、装置も小型となる。また、第１カバー１１と第２カバー１２との間は予め固定されていないので、様々な幅のスリットに対して使用することができるため、さらに汎用性が高い。スリット保護装置１を取り付けることにより、スリット２２の欠けやハイヒール等の踵部分がスリット２２に入り込むことが防止される。
【００２０】
また、ボルト部材１３の頭部１３ａの幅は、第１カバー１１と第２カバー１２との側溝２の上面側の開口幅Ｗ１よりも大きいため、ボルト部材１３はその頭部１３ａで第１カバー１１及び第２カバー１２の上面側で係止される。これにより、スリット保護装置１は簡易な構成で、スリット２２を保護することができる。また、取り付け作業が簡便であり、作業性が良い。なお、外部からの衝撃等により、第１カバー１１と第２カバー１２との間の距離が一時的に広がって、ナット部材１４による第１カバー１１と第２カバー１２の押止が解除されることがあるが、このような場合においても、ボルト部材１３ａの幅が開口幅Ｗ１よりも大きいため、ナット部材１４が流路２１内に脱落することが防止される。
【実施例２】
【００２１】
本発明の他の実施例であるスリット保護装置２００の断面図を図４に示す。なお、スリット保護装置１と実質的に同一の部材には同一の符号を付してその説明を省略する。スリット保護装置２００は押止部材としてボルト部材１３０とナット部材１４を備える。ボルト部材１３０は六角穴付きＭ６ボルトであって、その頭部１３０ａの直径は約１０ｍｍ、その軸部１３０ｂの直径は約６ｍｍである。第１カバー１１の対向部１１ｂの上部から約１０ｍｍ内側（流路２１側）には係止突起２３ａが設けられている。また、第２カバー１２の対向部１１ｂの上部から約１０ｍｍ内側（流路２１側）にも係止突起２３ｂが設けられている。係止突起２３ａ、２３ｂは溶接により取り付けられ、互いに対向して約７ｍｍ隔離している。ボルト部材１３０はその軸部１３０ｂが係止突起２３ａ、２３ｂの間に挿入され、頭部１３０ａが係止突起２３ａ、２３ｂに係止された状態となっている。これにより、頭部１３０ａの直径は第１カバー１１と第２カバー１２の側溝２の上面側の開口幅Ｗ１よりも小さいが、第１カバー１１と第２カバー１２との間に係止するため、外部からの衝撃等によりナット部材１４による第１カバー１１と第２カバー１２の押止が解除されたとしても、ナット部材１４が流路２１内に脱落することが防止される。また、ボルト部材１３０の頭部１３０ａが第１カバー１１の上面部１１ａ及び第２カバー１２の上面部１２ａよりもスリット２２の内側（即ち、流路２１側）に位置しているため、ボルト部材１３０の頭部１３０ａが外部から干渉されにくく、ボルト部材１３０とナット部材１４の緩みの発生が防止される。なお、スリット保護装置２００によってもスリット保護装置１と同等の効果を奏する。
【実施例３】
【００２２】
本発明の他の実施例であるスリット保護装置３００の取付方法を説明する断面図を図５Ａ〜Ｅに示す。なお、スリット保護装置１、２００と実質的に同一の部材には同一の符号を付してその説明を省略する。
まず、ボルト部材１３１の軸部１３１ｂの先端にナット部材１４を螺入し、平板状の補助具３０を軸部１３１ｂを挟むようにボルト部材１３１の頭部１３１ａの直下あてがう。そしてボルト部材１３１とナット部材１４が第１カバー１１と第２カバー１２の間に位置するように補助具３０を第１カバー１１と第２カバー１２上に載置しつつ、第１カバー１１と第２カバー１２の各部をスリット２２に沿わせて配置する（図５Ａ参照）。
【００２３】
次に、ボルト部材１３１を締めて、ナット部材１４を第１カバー１１の対向部１１ｂと第２カバー１２の対向部１２ｂに当接させる。そしてナット部材１４により、両対向部１１ｂ、１２ｂをスリット２２の対向面２２ａ、２２ｂにそれぞれ押圧して、第１カバー１１と第２カバー１２を押止する（図５Ｂ参照）。
その後、補助具３０を取り除く（図５Ｃ参照）。そして、ボルト部材１３１をさらに締め込んで、ボルト部材１３１の頭部１３１ａを第１カバー１１の上面部１１ａ及び第２カバー１２の上面部１２ａよりも内側（即ち、流路側）に位置させる（図５Ｄ参照）。
そして、頭部１３１ａと第１カバー１１の屈曲部１１ｃ及び第２カバー１２の屈曲部１２ｃとを溶接する（図５Ｅ参照）。図５Ｅにおいて、頭部１３１ａと第１カバー１１の屈曲部１１ｃとの溶接部を符号３０ａで示し、頭部１３１ａと第２カバー１２の屈曲部１２ｃとの溶接部を３０ｂで示す。
【００２４】
スリット保護装置３００によれば、スリット保護装置２００と同等の効果を奏するともに、ボルト部材１３１が第１カバー１１及び第２カバー１２に溶接されて固定されるため、外部からの衝撃等によりナット部材１４による第１カバー１１と第２カバー１２の押止が解除されたとしても、ナット部材１４が流路２１内に脱落することが防止される。
【実施例４】
【００２５】
本発明の更に他の実施例であるスリット保護装置４００の分解図を図６Ａに示し、スリット２２に取り付けた状態のスリット保護装置４００の断面図を図６Ｂに示す。なお、スリット保護装置１、２００及び３００と実質的に同一の部材には同一の符号を付してその説明を省略する。スリット保護装置４００は第１カバー１１、第２カバー１２、ボルト部４０ａ、係合部４０ｂ、第１ナット部材４１ａ及び第２ナット部材４１ｂを備える。ボルト部４０ａは直径約６ｍｍのＭ６ボルトであって、その長さは約１２ｍｍである。ボルト部４０ａは第１カバー１１の対向部１１ｂに溶接により立設されている。
係合部４０ｂはボルト部４０ａの谷径と略同一の直径を有し、長さが約約５ｍｍの円柱形の突起であって、第２カバー１２の対向部１２ｂに溶接により立設されている。ボルト部４０ａと係合部４０ｂは第１カバー１１の上面部１１ａ及び第２カバー１２の上面部１２ａに平行な仮想線４２を軸として直線状に配置される。第１ナット部材４１ａの長さは約５ｍｍである。第２ナット部材４１ｂの長さは約１２ｍｍであって、第２ナット部材４１ｂはいわゆる高ナットである。
【００２６】
図６Ｂに示すように、スリット保護装置４００は、第２ナット部材４１ｂがボルト部４０ａ及び係合部４０ｂの両方に螺合して、第２ナット部材４１ｂに螺入される量により、第１カバー１１と第２カバー１２との間隔が調整可能としている。第１ナット部材４１ａは第２ナット部材４１ｂとともにボルト部４０ａ及び係合部４０ｂに螺入されていわゆるダブルナットとして緩み止め機能を奏する。第２ナット部材４１ｂにボルト部４０ａ及び係合部４０ｂが十分螺入された状態で第１カバー１１と第２カバー１２をスリット２２に設置し、第２ナット部材４１ｂを回転させて係合部４０ｂの螺入量をへらすことにより、第１カバー１１及び第２カバー１２がスリット２２の対向面２２ａ、２２ｂにそれぞれ押圧されて、第１カバー１１及び第２カバー１２が横死されることとなる。
スリット保護装置４００は様々な幅のスリット２２を備える側溝に使用することができるため、汎用性の高い。また、取り付け作業が簡便となり、スリット保護装置４００を容易に取り付けることができる。このようなスリット保護装置４００によっても、スリット２２の欠けやハイヒール等の踵部分がスリット２２に入り込むことが防止される。
【００２７】
この発明は上記発明の実施形態に何ら限定されるものではない。特許請求の範囲を逸脱せず、当業者が容易に想到できる範囲で種々の変形態様もこの発明に含まれる。
【産業上利用可能性】
【００２８】
本発明のスリット保護装置は、スリットを備える側溝においてスリットを保護することに利用することができる。
【符号の説明】
【００２９】
１、２００、３００、４００  スリット保護装置
２  側溝
２１  流路
２２  スリット
１１  第１カバー
１２  第２カバー
１１ａ、１２ａ  上面部
１１ｂ、１２ｂ  対向部
１１ｃ、１２ｃ  屈曲部
１３、１３０  ボルト部材
１３ａ、１３０ａ  頭部
１３ｂ、１３０ｂ軸部
１４  ナット部材
４０ａ  第１ボルト部
４０ｂ  係合部
４１ａ  第１ナット部材
４２ｂ  第２ナット部材
【図１】
2010275839.tif 000003
【図２】
2010275839.tif 000004
【図３】
2010275839.tif 000005
【図４】
2010275839.tif 000006
【図５】
2010275839.tif 000007
【図６】
2010275839.tif 000008